(57)【要約】【課題】ODTとIDUの間を１システムあたりケーブル１本の接続であっても、ODUからの１次電源供給制御を可能とする。【解決手段】電源スイッチ９は、作業員によって操作され電源供給を開始するときにON、電源供給を停止するときにOFFされる。内部電池10は、電源スイッチがONにされたときの過渡期に電源供給中とは反対方向の電流をケーブルに流す。ダイオード12は、電源供給中の電流から内部電池を保護し放電を防ぐ。電流検出回路４はIDUにケーブルを流れる電流を検出する。リレー６は電流検出回路が電流を検出すると、ケーブルとの接続をONの間は１次電源３側、OFFの間は一定電位側に切り換える。【選択図】図１
2007174807.tif 000002
【特許請求の範囲】
【請求項１】
屋内装置に備えられた１次電源から屋外装置の負荷に１本のケーブルを介して電源を供給している電源供給システムにおける遠隔操作電源供給制御システムにおいて、
前記屋外装置に、
作業員によって操作され電源供給を開始するときにON、電源供給を停止するときにOFFされる電源スイッチと、
前記電源スイッチがONにされたときの過渡期に前記電源供給中とは反対方向の電流を前記ケーブルに流すための内部電池と、
前記電源供給中の電流から前記内部電池を保護し放電を防ぐためのダイオードとを設け、
前記屋内装置に、
前記ケーブルを流れる電流を検出する電流検出回路と、
前記電流検出回路が電流を検出すると、前記ケーブルとの接続をONの間は前記１次電源側、OFFの間は一定電位側に切り換えるリレーとを設けたことを特徴とする遠隔操作電源供給制御システム。
【請求項２】
前記１次電源が負極性であるときに、
前記ダイオードは、前記電源スイッチがONにされるとアノードが前記負荷の一端と並列接続され、
前記内部電池は、負極が前記ダイオードのカソード、正極が接地されていることを特徴とする請求項１記載の遠隔操作電源供給制御システム。
【請求項３】
前記ケーブルと前記電流検出回路および前記電源スイッチそれぞれの間に、前記ケーブルに重畳して伝送されるデータ信号および制御信号を分離するための電源信号分配器を設けたことを特徴とする請求項１または請求項２記載の遠隔操作電源供給制御システム。
【請求項４】
前記内部電池は、前記電源供給中に屋外装置側の充電回路により充電されることを特徴とする請求項１ないし請求項３のいずれかに記載の遠隔操作電源供給制御システム。
【発明の詳細な説明】
【技術分野】
【０００１】
本発明は、遠隔装置に電源を供給している電源供給システムにおける遠隔操作電源供給制御システムに関する。
【背景技術】
【０００２】
屋外に設置されている遠隔装置（以下、ODU（Outdoor Unit）と記す）と、屋内の電源供給装置（以下、IDU（Indoor Unit）と記す）で構成され、IDUからODUに一次電源を供給している電源供給システムにおいて、ODU側の電源遮断／投入状態を監視するには、従来、ODUの電源状態監視信号線をIDU−ODU間で接続して行っていた（文献公知発明に係るものではない）。
【０００３】
そのことにより、ODU側で一次電源を遮断／投入した場合に、IDU側でもODUへの一次電源供給を遮断/投入するのが望ましい。ODU側の電源スイッチを断にしても、ODU内の一次電源供給ケーブルにはIDUから一次電源が供給されたままだと、一次電圧が印加されたまま電源供給端子を挿抜した場合に、人体あるいは機器への安全性が懸念されるからである。
【０００４】
なお、ODU側で供給している電源の停電／復旧時における技術であるが、停電によりバッテリバックアップ供給を行っている場合に電源が復旧すると、その信号が局装置へ伝わり、局装置においてスイッチをONとすることにより、遠隔装置と局装置の間に電流が流れ、遠隔装置では電流を検出したリレーによりバッテリバックアップを停止させるようにしたものが知られている（例えば、特許文献１参照）。
【０００５】
【特許文献１】特開平２−７４１２９号公報（第１頁−第２頁、図１）
【発明の開示】
【発明が解決しようとする課題】
【０００６】
ところで、IDUとODUの接続は工事簡略化などの目的で、伝送する主信号，制御信号等の全ての信号を１本のケーブルに重畳させて接続し、電源状態監視信号線は排除するよう要請されることが多い。この要請に応える場合には、制御信号の変調等能動的な機能動作が必要になる。しかし、ODU側の電源スイッチがOFFされたことはIDU側での供給電流検出等により感知可能だが、OFFからONになったことを感知することは難しく、監視制御線の追加なしで、IDU−ODU間を直接ODUの電源スイッチ監視信号を伝送することは困難であるという問題点がある。
【０００７】
このため、従来は、ODU側の保守のためODU側の電源を遮断する場合には、IDU側からの電源供給も同時に遮断する操作をし、また再起動時にはIDU側からの電源供給を開始してからODU側で電源を投入する操作をしており、作業が煩雑であると共にその手間が問題となっている。
【０００８】
そこで、本発明の目的は、ODTとIDUの間を１システムあたりケーブル１本の接続であっても、ODUからの１次電源供給制御を可能とし、装置構成の簡易化と操作性の向上を図った遠隔操作電源供給制御システムを提供することにある。
【課題を解決するための手段】
【０００９】
本発明の遠隔操作電源供給制御システムは、IDU（図１の１）に備えられた１次電源（図１の３）からODU（図１の２）の負荷（図１の13）に１本のケーブル（図１の７）を介して電源を供給している電源供給システムにおける遠隔操作電源供給制御システムにおいて、ODUに、作業員によって操作され電源供給を開始するときにON、電源供給を停止するときにOFFされる電源スイッチ（図１の９）と、電源スイッチがONにされたときの過渡期に電源供給中とは反対方向の電流を前記ケーブルに流すための内部電池（図１の10）と、電源供給中の電流から内部電池を保護し放電を防ぐためのダイオード（図１の12）を設け、IDUには、ケーブルを流れる電流を検出する電流検出回路（図１の４）と、電流検出回路が電流を検出すると、ケーブルとの接続をONの間は１次電源側、OFFの間は一定電位側に切り換えるリレー（図１の６）を設けたことを特徴とする。
【００１０】
具体的には、１次電源が負極性であるときに、ダイオードは、電源スイッチがONにされるとアノードが負荷の一端と並列接続され、内部電池は、負極がダイオードのカソード、正極が接地されている。
【００１１】
また、ケーブルと電流検出回路および電源スイッチそれぞれの間に、ケーブルに重畳して伝送されるデータ信号および制御信号を分離するための電源信号分配器を設けてもよい。更に、内部電池は、電源供給中にODU側の充電回路により充電されるようにしてもよい。
【００１２】
１本の同軸ケーブルに制御信号などを重畳する場合には、制御信号の変調等、能動的な機能動作が必要になる。ODU側の電源スイッチがOFFされたことはIDU側での供給電流検出により感知可能だが、OFFからONになったことを感知することは難しい。その課題を解決する手段としてODU側の内部電池を設置し、電源スイッチがONになったときに装置間接続同軸ケーブルに内部電池から、運用状態とは逆の向きの電流を流し、IDU側の電流検出により１次電源の供給をONする。
【発明の効果】
【００１３】
本発明によれば、電源供給停止の状態から電源供給を開始するときに、ODUにおける電源スイッチの投入により内部電源からの電流のルートを形成し、IDU側で認識できるような構成を採用したため、１システムあたり１本のケーブルでの接続されている電源供給システムにおいても、ODU側からの電源ON/OFFに対して１次電源供給のON/OFFを連動することが可能になるという効果を得ることができる。
【発明を実施するための最良の形態】
【００１４】
本発明の遠隔操作電源供給制御システムは、IDUに備えられた１次電源からODUの負荷に１本の同軸ケーブルを介して電源を供給している電源供給システムにおけるものである。ODUには、作業員によって操作され電源供給を開始するときにON、電源供給を停止するときにOFFされる電源スイッチと、電源スイッチがONにされたときの過渡期に電源供給中とは反対方向の電流を前記ケーブルに流すための内部電池と、電源供給中の電流から内部電池を保護し放電を防ぐためのダイオードとを設ける。また、IDUには、同軸ケーブルを流れる電流を検出する電流検出回路と、電流検出回路が電流を検出すると、同軸ケーブルとの接続をONの間は１次電源側、OFFの間は一定電位側に切り換えるリレーとを設ける。
【００１５】
以下、上記の目的，特徴および利点を明確にすべく、添付した図面を参照しながら本発明の実施の形態について以下に詳述する。
【実施例１】
【００１６】
図１は本発明の遠隔操作電源供給制御システムの一実施例を示すブロック図であり、電源スイッチのON/OFFは運用状態を表している。この遠隔操作電源供給制御システムは、IDU１からODU２の負荷13へ１本の同軸ケーブ７を介して１次電源３を供給する電源供給システムにおいて、ODU２で電源スイッチ９をON/OFF操作した場合に、IDU１でリレー６が連動して電源供給を自動的にON/OFFするものである。同軸ケーブ７上では、電源供給，DATA信号伝送および制御信号伝送が重畳されている。
【００１７】
このような電源供給システムは、例えば、見通し内マイクロ波無線通信装置などで採用される。見通し内マイクロ波無線通信装置では、アンテナ直近にRF部を配置するために、無線通信装置をODU（RF部）とIDUとに分け、ODUをIDUと離れた鉄塔の上などの高所にアンテナと共に配置する場合が多い。
【００１８】
この場合、ODU内構成パネルの交換時などでODU側での電源の遮断/投入操作の度に、IDU設置場所に戻ってIDU側の電源供給部の操作を行うことになり、多くの時間を費やし、かつ高所への往復は危険を伴う行為であり好ましくない。このような事情から、ODUでの電源スイッチのON/OFFに連動してIDUで電源供給をON/OFFできることが望まれるのである。
【００１９】
図１において、IDU１は、例えば見通し内マイクロ波無線通信装置におけるRF部を除く部分であって、DC-48Vの１次電源３と、電流検出回路４と、電源信号分配器５と、リレー６とを備えている。
【００２０】
１次電源３はリレー６の接点，電流検出回路４，電源信号分配器５および同軸ケーブル７を介してODU２の負荷13へDC-48Vを供給する。電流検出回路４は、ここを流れる電流を検出してリレー６を動作させる。リレー６は電流検出回路４によって電流が検出されたときはその接点をONとし、電流が検出されたときは接点をOFFとする。
【００２１】
接点がONのときは１次電源３、OFFのときは接地電位をそれぞれ電流検出回路４へ接続する。電源信号分配器５は同軸ケーブル７上で重畳されるDATA信号および制御信号を分離して、IDU１の中核部（図示省略）との間で入力または出力する。
【００２２】
電流検出回路４は、抵抗40，３つのコンパレータ41〜43および分圧器44で構成されている。抵抗40はそこを流れる電流を電圧に変換してコンパレータ41へ出力する。コンパレータ41は抵抗40における降下電圧を２つのコンパレータ42と43へ出力する。コンパレータ42と43へは分圧器44における異なる電位が供給されている。コンパレータ42と43は、コンパレータ41の出力を逆相の端子で入力して分圧器44からの電位と比較する。この結果、電流検出回路４によって電流が検出されたときは、その電流の方向がいずれであってもコンパレータ42または43はリレー６の接点をONにさせる。
【００２３】
一方、ODU２は、例えば見通し内マイクロ波無線通信装置におけるRF部であって、電源スイッチ９と、内部電池10と、充電回路11と、電源信号分配器８と、ダイオード12と、負荷13と、抵抗Rと、コンデンサCとを備えている。
【００２４】
電源信号分配器８は同軸ケーブル７上で重畳されるDATA信号および制御信号を分離して、ODU２の中核部（図示省略）との間で入力または出力する。電源スイッチ９は、ODU２において作業員によって操作され、保守等のため負荷13への電源供給を停止したいときはOFF、復旧したいときはONとされる。
【００２５】
電源スイッチ９がONのときは電源信号分配器８と負荷13の一端およびダイオード12のアノードとを接続し、OFFのときはこの接続を遮断する。負荷13は１次電源３の供給対象である。内部電池10は、抵抗RおよびコンデンサCを介して充電回路11によって充電され、負極がダイオード12のカソード、正極が負荷13，抵抗RおよびコンデンサCそれぞれの他端と共に接地されている。内部電池10はスーパーキャパシタなどの大容量コンデンサで容易に実現できる。
【００２６】
さて、この電源供給システムが運用状態にある場合は図１に示したような接続となっている。すなわち、リレー６は１次電源３を電流検出回路４と接続し、電源スイッチ９は電源信号分配器８を負荷13およびダイオード12と接続している。１次電源３は、リレー６，電流検出回路４，電源信号分配器５，同軸ケーブル７，電源信号分配器８および電源スイッチ９を介してDC-48Vを負荷13に供給している。
【００２７】
この場合、電流は接地から負荷13，電源スイッチ９，電源信号分配器８，同軸ケーブル７，電源信号分配器５，電流検出回路４，リレー６および１次電源３へと流れている。電流検出回路４はこの電流を検出し、それによってリレー６は接点をON状態に維持する。この電流はダイオード12によって阻止され内部電池10を保護する。内部電池10はダイオード13により放電されることなく、充電回路11により抵抗RおよびコンデンサCを介して充電される。また、電源信号分配器５および８は同軸ケーブル７上を伝わるDATA信号および制御信号を分離して中核部との間で入力または出力している。
【００２８】
次に、保守等のために作業員によって電源スイッチ９がOFFとされると、電流検出回路４は電流を検出しなくなるのでリレー６は接点をOFFとさせる。これにより１次電源３からのDC-48Vの供給は停止する。内部電池10の充電は続行する。このときの状態を図２に示す。
【００２９】
この状態で、保守等が終了し作業員によって電源スイッチ９がONされたとする。この場合であっても、リレー６の接点はON状態であるため電流検出回路４は接地されているので電流ルートが形成される。すなわち、ODU２の内部電池10の正極から、接地を介してIDU１のリレー６，電流検出回路４および電源信号分配器５、そして同軸ケーブル７を経てODU２の電源信号分配器８，電源スイッチ９、ダイオード12および内部電池10の負極に到るルートである。
【００３０】
この過渡状態において抵抗40を流れる電流の方向は、先に説明した運用状態における方向とは逆方向であるが、電流検出回路４はコンパレータ41〜43によりこの電流を検出して、リレー６は接点をONにさせる。この結果、運用状態に入ることができるのである。
【図面の簡単な説明】
【００３１】
【図１】本発明に係わる遠隔操作電源供給制御システムの一実施例の運用状態を示すブロック図
【図２】本発明に係わる遠隔操作電源供給制御システムの一実施例の電源供給停止状態を示すブロック図
【符号の説明】
【００３２】
１      屋内装置（IDU）
２      屋外装置（ODU）
３      １次電源
４      電流検出回路
５      電源信号分配器
６      リレー
７      同軸ケーブル
８      電源信号分配器
９      電源スイッチ
10      内部電池
11      充電回路
12      ダイオード
13      負荷
40      抵抗
41〜43  コンパレータ
44      分圧器
【図１】
2007174807.tif 000003
【図２】
2007174807.tif 000004